(57)【要約】【課題】複数の表示画面を用いた使い勝手のよい撮像装置を提供する。【解決手段】画像データを出力する撮像素子と、前記画像データを第１処理部で処理して第１フレームレートで第１画像を表示する第１画面と、前記第１画像処理部とは異なる第２処理部により前記画像データを処理して、前記第１フレームレートとは時間軸を異ならせた第２画像を表示する第２画面と、前記第１画像の表示中に前記第２画像の一部を前記第２画面に表示させる制御部とを備える撮像装置。【選択図】図１
2014160927.tif 000002
【特許請求の範囲】
【請求項１】
画像データを出力する撮像素子と、
前記画像データを第１処理部で処理して第１フレームレートで第１画像を表示する第１画面と、
前記第１画像処理部とは異なる第２処理部により前記画像データを処理して、前記第１フレームレートとは時間軸を異ならせた第２画像を表示する第２画面と、
前記第１画像の表示中に前記第２画像の一部を前記第２画面に表示させる制御部と、
を備えることを特徴とする撮像装置。
【請求項２】
請求項１に記載の撮像装置において、
前記第２画面は、前記第２処理部により前記第２画像とは時間軸を異ならせた第３画像を表示することを特徴とする撮像装置。
【請求項３】
請求項１または２に記載の撮像装置において、
前記第２処理部は、前記撮像素子から分離して設けられており、
前記第２処理部に前記画像データを送信する送信部を備えたことを特徴とする撮像装置。
【請求項４】
請求項１〜３のいずれか一項に記載の撮像装置において、
前記第１画像に関連した画像を記録するための操作を行う第１操作部と、
前記第２画像に関連した画像を記録するための操作を行う第２操作部と、を備えたことを特徴とする撮像装置。
【請求項５】
請求項１〜４のいずれか一項に記載の撮像装置において、
前記第１画面と前記第２画面とは独立した画面であることを特徴とする撮像装置。
【請求項６】
請求項１〜５のいずれか一項に記載の撮像装置において、
被写体の顔を検出する顔検出部を備え、
前記第２処理部は、前記顔検出部の検出結果に基づき前記画像データを処理することを特徴とする撮像装置。
【請求項７】
請求項１〜６のいずれか一項に記載の撮像装置において、
前記第２処理部は、複数の前記画像データに対応するフレーム同士の間に補間フレームを生成することを特徴とする撮像装置。
【発明の詳細な説明】
【技術分野】
【０００１】
本発明は、撮像装置に関する。
【背景技術】
【０００２】
従来、複数の表示画面を備え、各表示画面において静止画や動画を再生することが可能なデジタルカメラが知られている（例えば特許文献１）。
【先行技術文献】
【特許文献】
【０００３】
【特許文献１】特表２０１０−５２２４７３号公報
【発明の概要】
【発明が解決しようとする課題】
【０００４】
従来技術には、複数の表示画面をスローモーション動画（スロー動画）の再生に活用する具体的な構成が記載されていなかった。
【課題を解決するための手段】
【０００５】
請求項１に記載の撮像装置は、画像データを出力する撮像素子と、前記画像データを第１処理部で処理して第１フレームレートで第１画像を表示する第１画面と、前記第１画像処理部とは異なる第２処理部により前記画像データを処理して、前記第１フレームレートとは時間軸を異ならせた第２画像を表示する第２画面と、前記第１画像の表示中に前記第２画像の一部を前記第２画面に表示させる制御部と、を備えることを特徴とする。
【発明の効果】
【０００６】
本発明によれば、複数の表示画面を用いた使い勝手のよい撮像装置を提供することができる。
【図面の簡単な説明】
【０００７】
【図１】本発明の第１の実施の形態に係る画像処理システムの構成を示すブロック図である。
【図２】２つのスローモーション動画を同時並行的に再生する様子を示す図である。
【図３】３つのスローモーション動画が同時並行的に再生される様子を示すタイミングチャートである。
【図４】スローモーション動画の撮影時に制御部１３０が実行する処理のフローチャートである。
【図５】第２モニタ１５０を持たないカメラ１００の外観を示す模式図である。
【発明を実施するための形態】
【０００８】
（第１の実施の形態）
図１は、本発明の第１の実施の形態に係る画像処理システムの構成を示すブロック図である。画像処理システム１は、撮像装置であるカメラ１００と画像処理サーバ２００とを含む。カメラ１００と画像処理サーバ２００は、例えばＬＡＮ，ＷＡＮ等のネットワーク３００を介して接続され、相互にデータ通信を行うことができる。以下、カメラ１００と画像処理サーバ２００とについて順に説明する。
【０００９】
カメラ１００は、撮像光学系１１０と、撮像素子１２０と、第１画像処理部１２５と、制御部１３０と、第１モニタ１４０と、第２モニタ１５０と、操作部１５５と、第１通信部１６０と、メモリカード１７０とを備える。
【００１０】
撮像光学系１１０は、フォーカスレンズを含む複数のレンズを有し、本実施形態においては、カメラ１００の本体から着脱可能となっている。すなわち、本実施形態のカメラ１００はレンズ交換式のデジタルカメラである。
【００１１】
撮像素子１２０は、ＣＣＤやＣＭＯＳなどで構成することができ、撮像光学系１１０からの光束を受光して、所定のフレームレート（例えば、３０ｆｐｓや６０ｆｐｓ）でＲＧＢの画像データ（撮像信号）を出力することが可能である。
【００１２】
第１画像処理部１２５は、撮像素子１２０からのＲＧＢの画像データを輝度信号（Ｙ）と、輝度信号と青色成分の差（Ｕ）と、輝度信号と赤色成分の差（Ｖ）との３つの情報で表すＹＵＢ画像データに変換する。また、第１画像処理部１２５は、ＹＵＢ画像データをＲＧＢに変換して、第１モニタ１４０にスルー画や、静止画や、動画や、サムネイル画像を表示する。なお、本実施形態において、静止画や、動画、サムネイル画像は後述のメモリカードにＹＵＢ画像データとして記憶される。
【００１３】
制御部１３０は、不図示のマイクロコンピュータ、メモリ、およびその周辺回路を含み、不図示の記憶媒体（例えばフラッシュメモリ）から制御プログラムを読み込んで実行することにより、カメラ１００の各部を制御する。第１モニタ１４０および第２モニタ１５０は、例えば液晶ディスプレイ等の表示装置であり、それぞれカメラ１００の筐体背面に設置される。
【００１４】
第１モニタ１４０は、前述したように、第１画像処理部１２５により生成されるスルー画や、動画、静止画、サムネイル画像を表示する。
【００１５】
第２モニタ１５０は、撮影時間よりも長い時間をかけて動画を再生するスローモーション動画を表示する。例えば、第２モニタ１５０は、撮像素子１２０が６０ｆｐｓで１秒間撮像した６０フレームの画像を１０秒で表示するというような、時間軸を異ならせた表示を行う。なお、スローモーション動画についてはその詳細を後述する。
【００１６】
本実施形態では、第１モニタ１４０はカメラ１００の背面に固定され、第２モニタ１５０は第１モニタ１４０の下方に展開可能に設置される。
【００１７】
なお、第１モニタ１４０および第２モニタ１５０の配置はこれに限らず、どのようなものであってもよい、例えば２つのモニタを上下に並べるのではなく左右に並べて配置してもよいし、２つのモニタの位置や画面の向き等を自在に変更可能に構成してもよい。一方もしくは両方のモニタを、カメラ１００の筐体から分離可能に構成することもできる。また、本実施形態では第１モニタ１４０の表示画面と第２モニタ１５０の表示画面は、略同一の大きさを有するが、表示画面の大きさに差を設けることも可能である。
【００１８】
第１モニタ１４０は、第１モニタ１４０の表示画面への手指等による接触を検知する第１タッチパネル１４１を有する。ユーザが、第１モニタ１４０の表示画面に手指等で接触する、いわゆるタッチ操作を行うと、第１タッチパネル１４１はこの手指等の接触位置を検知して制御部１３０に通知する。同様に、第２モニタ１５０は第２タッチパネル１５１を有する。第２モニタ１５０にスローモーション動画が再生されているときに、ユーザが第２タッチパネル１５１をタッチすることに応じて、制御部１３０は後述の画像処理サーバ２００に静止画を生成させる。画像処理サーバ２００で生成される静止画は、第１モニタ１４０または第２モニタ１５０のいずれかに表示される。
【００１９】
操作部１５５は、図２に示してあるように撮影準備（ＡＦ，ＡＥ）や静止画撮影実行を指示するレリーズボタン１５５ａと、各種シーンモードを設定するモードダイヤル１５５ｂと、動画撮影の実行と終了とを指示する動画ボタン１５５ｃと、第１モニタ１４０に表示されたメニューを上下左右の矢印キーとＯＫボタンにより選択するマルチセレクタ１５５ｄを備えている。本実施形態においては、第１モニタ１４０に動画メニューとして、動画撮影モードと、スローモーション撮影モードとを表示し、マルチセレクタ１５５ｄでいずれかの撮影モードを選択するようになっている。
【００２０】
なお、上述したような操作部１５５を有している場合には、第１タッチパネル１４１を省略してもよい。
【００２１】
第１通信部１６０は、例えば無線通信等により、ネットワーク３００を介して画像処理サーバ２００とのデータ通信を行う。本実施形態において、第１通信部１６０は、ＹＵＢ画像データを画像処理サーバ２００に送信する。メモリカード１７０は可搬性の記憶媒体である。制御部１３０はメモリカード１７０に前述したようにＹＵＢ画像データ（静止画、動画、サムネイル画像）等を記憶する。
【００２２】
次に、画像処理サーバ２００について説明する。画像処理サーバ２００は、例えばデータセンターに設置されたコンピュータ等であり、第２通信部２１０と、メモリ２２０と、第２画像処理部２３０とを備える。
【００２３】
第２通信部２１０は、ネットワーク３００を介してカメラ１００（第１通信部１６０）とのデータ通信を行ない、ＹＵＢ画像データを受信する。また、第２通信部２１０は、後述するように第２画像処理部２３０で生成されたMotion-JPEGデータや、JPEGデータを第１通信部１６０に送信する。
【００２４】
メモリ２２０は、本実施形態においては不揮発性のメモリであり、カメラ１００から送信されたＹＵＢ画像データや、後述する第２画像処理部２３０により生成された画像データを記憶する。
【００２５】
第２画像処理部２３０は、第２通信部２１０により受信されたＹＵＢ画像データに基づいて、Motion-JPEGデータを作成してスローモーション動画を生成する。また、第２画像処理部２３０は、第２モニタ１５０にスローモーション動画が表示されている際に、ユーザが第２タッチパネル１５１をタッチしたことに応じて、メモリ２２０に記憶されているＹＵＢ画像データからＪＰＥＧを生成する。なお、第２画像処理部２３０は独立した電子回路として構成してもよいし、不図示のマイクロコンピュータが所定のプログラムを読み込んで実行するものとしてもよい。
【００２６】
（カメラ１００の各動作モードの説明）
カメラ１００は、静止画を撮影する静止画撮影モードと、動画を撮影する動画撮影モードと、スローモーション動画を撮影するスローモーション撮影モードと、を有しており、以下、各動作モードについて説明を続ける。
【００２７】
静止画撮影モードのとき、ユーザがレリーズボタン１５５ａを全押しすると、制御部１３０はこれに応じて撮像素子１２０を駆動制御してに被写体像の静止画の撮像を行う。第１画像処理部１２５は、撮像素子１２０から出力される画像データに種々の画像処理を施し、ＹＵＶフォーマットの静止画像データを作成する。制御部１３０は、作成した静止画像データをメモリカード１７０に記憶（保存）する。
【００２８】
動画撮影モードのとき、ユーザが動画ボタン１５５ｃを押下すると、制御部１３０は所定のフレームレート（例えば６０ｆｐｓ）で撮像素子１２０に被写体像を撮像させる。第１画像処理部１２５は、撮像素子１２０から出力される画像データに種々の画像処理を施し、ＹＵＶフォーマットの動画データ（動画フレームを）作成する。制御部１３０は、作成した動画データを不図示のメモリに一時記憶する。
【００２９】
動画撮影中にユーザが動画ボタン１５５ｃを再度押下すると、制御部１３０は動画撮影を終了し、不図示のメモリに一時記憶された動画像データを、メモリカード１７０に記憶する。
【００３０】
スローモーション撮影モードは、撮影に要した実時間よりも長い再生時間で動画を再生するためのモードであり、本実施形態においては動画の撮像自体は動画撮影モードと同じとしている。例えば、カメラ１００が撮像素子１２０を制御して、１０秒間の間、６０分の１秒ごとに被写体像を撮像した場合、６０×１０＝６００個の画像データが得られる。スローモーション撮影モードでは、それら６００個の画像データに基づいて、第１画像処理部１２５が６００個のＹＵＶデータを生成し、この６００個のＹＵＶデータが第１通信部１６０、第２通信部２１０を介してメモリ２２０に記憶される。第２画像処理部２３０は、６００個のＹＵＶデータから例えば計１８００個のフレームが含まれ３０秒間の再生時間を有する６０ｆｐｓのMotion-JPEGデータを作成する。
【００３１】
６００個の画像データから１８００個のフレームを生成する方法としては、２つのフレームからその中間フレーム（補間フレーム）を補間演算により生成する周知技術を用いることができる。このような周知技術により１２００個の中間フレームを適宜生成してそれを上記の６００個のフレーム間に挿入することで、撮影時間よりも長い再生時間を有するスローモーション動画を作成することができる。
【００３２】
なお、スローモーション動画モードのフレームレートは、動画撮影モードのフレームレートと同一でもよく、これら２つの動画のフレームレートは異なっていてもよい。
【００３３】
また、スローモーション動画モードのときに、例えば、６０ｆｐｓで撮影を行い、スローモーション動画のフレームレートをそれより小さいフレームレート（例えば３０ｆｐｓ）にして、中間フレームを多数生成することなく、実時間をより大きく引き延ばしたスローモーション動画を作成してもよい。
【００３４】
画像処理サーバ２００内の第２画像処理部２３０により作成されたMotion-JPEGデータは、第２通信部２１０により順次カメラ１００へ送信される。
【００３５】
制御部１３０は、第１通信部１６０を介してこのMotion-JPEGデータを受信し、不図示のメモリに一時記憶すると共に、第２モニタ１５０に表示（再生）する。これにより、第１モニタ１４０にはスルー画が実時間で再生されると共に、これと並行して、第２モニタ１５０にはスローモーション動画が撮影に要した実時間より長い時間をかけて、すなわち撮像素子１２０が撮像したフレームレートとは時間軸を異ならせた再生が行われる。
【００３６】
第２モニタ１５０にスローモーション動画が再生されているときに、ユーザが第２タッチパネル１５１に対してタッチ操作を行うと、制御部１３０は、画像処理サーバ２００にタッチ操作に応じた静止画を生成させる。例えば、ユーザにより１００番目のMotion-JPEGデータが選択されたとする。画像処理サーバ２００はこの１００番目のMotion-JPEGデータに対応する１００番目のＹＵＶデータをメモリ２２０から読み出し、第２画像処理部２３０は１００番目のＹＵＶデータからＪＰＥＧ画像を生成する。そしてこのＪＰＥＧ画像が第２モニタ１５０に表示されるとともに、メモリカード１７０に記憶される。なお、ＪＰＥＧ画像の表示は、第２モニタ１５０全面に表示されてもよく、第２モニタ１５０を上下２分割し、上側にスローモーション動画を表示させ、下側にＪＰＥＧ画像を表示するようにしてもよい。このにより、例えば動きの激しい被写体など、静止画撮影モードでは最適なタイミングで撮影することが難しい被写体であっても、ユーザは再生中のスローモーション動画から最適なフレームを選択することで、所望の静止画像データを得ることができる。
【００３７】
なお、制御部１３０は、タッチ操作によりＪＰＥＧデータをメモリカード１７０に記憶する際、タッチ操作から一定時間（例えば５秒）、制御部１３０がスローモーション動画の再生を中断してタッチ操作時のフレームを表示し続けるようにしてもよい。このようにすることで、どのフレームが静止画像データとして記憶されたのかをユーザが把握しやすくなる。
【００３８】
図２は、２つのスローモーション動画をほぼ同時並行的に再生する様子を示す図である。制御部１３０は、カメラ１００の背面に設置された第１モニタ１４０に、リアルタイムに作成したスルー画を表示する。また、制御部１３０は、第１モニタ１４０の下方に設置された第２モニタ１５０の表示画面を上下に二分割し、上側の領域１０には前回撮影し再生が継続しているスローモーション動画（１つ目のスロー動画）を、下側の領域２０には現在撮影中のスローモーション動画（２つ目のスロー動画）を、それぞれ再生する。制御部１３０は、一方のスローモーション動画の再生が完了すると、第２モニタ１５０の二分割表示を終了し、他方のスローモーション動画を第２モニタ１５０に表示する。
【００３９】
なお、同時並行的に再生されるスローモーション動画の数は、３つ以上になることもある。例えば、２つのスローモーション動画の撮影が完了し、制御部１３０がそれらを第２モニタ１５０で同時並行的に再生しているときに、ユーザが再度動画ボタン１５５ｃを押下した場合、制御部１３０は、第２モニタ１５０の表示画面をタイル上に等分し、１つ目のスローモーション動画と、２つめのスローモーション動画と、新たに撮影を開始した３つ目のスローモーション動画とを、同時並行的に再生する。
【００４０】
図３は、３つのスローモーション動画が同時並行的に再生される様子を示すタイミングチャートである。このタイミングチャートは、３つのスローモーション動画３０，４０，５０を生成し、第２モニタ１５０に表示する様子を示している。３つのスローモーション動画３０，４０，５０は、それぞれ１秒間撮影され、その再生時間を例えば１０秒間としている。
【００４１】
時刻ｔ１から時刻ｔ２までの１秒間に、１つ目のスローモーション動画３０が前述したようにカメラ１００で撮影され、画像処理サーバ２００の第２画像処理部２３０で画像処理がなされている。そして、時刻ｔ２の２秒後の時刻ｔ３から時刻ｔ４までの１秒間に、２つ目のスローモーション動画４０が撮影され、時刻ｔ４の３秒後の時刻ｔ５から時刻ｔ６までの１秒間に、３つ目のスローモーション動画５０が撮影され、それぞれ第２画像処理部２３０で画像処理がなされている。
【００４２】
制御部１３０は、第２画像処理部２３０で生成されたMotion-JPEGの画像を１つ目のスローモーション動画３０の撮影が終了した時刻ｔ２から、１０秒後の時刻ｔ７まで、第２モニタ１５０に再生する。同様に、制御部１３０は時刻ｔ４から、この２つ目のスローモーション動画４０の再生を開始し、時刻ｔ６から３つ目のスローモーション動画４０の再生を開始する。つまり制御部１３０は、時刻ｔ４以降、２つのスローモーション動画３０，４０を同時並行的に再生する。
【００４３】
制御部１３０は、時刻ｔ７になると、１つ目のスローモーション動画３０の再生を終了する。これに応じて、制御部１３０は、第２モニタ１５０の表示画面を三分割表示から二分割表示に切り替え、２つ目のスローモーション動画４０と、３つ目のスローモーション動画５０と、の同時並行的な再生を継続する。
【００４４】
図４は、スローモーション動画の撮影時に制御部１３０が実行する処理のフローチャートである。制御部１３０は、スローモーション動画の撮影中、図４に示す処理を繰り返し実行する。
【００４５】
まずステップＳ１００において、制御部１３０は撮像素子１２０に被写体像を撮像させる。ステップＳ１１０で、制御部１３０は第１通信部１６０を介して第１画像処理部１２５で生成されたＹＵＶデータを画像処理サーバ２００に送信する。ステップＳ１２０で制御部１３０は、このＹＵＶデータを第１画像処理部１２５でＲＧＢデータに変換してスルー画を作成する。ステップＳ１３０で制御部１３０は、ステップＳ１２０で作成したスルー画を第１モニタ１４０に表示する。
【００４６】
ステップＳ１４０で制御部１３０は、第１通信部１６０を介して、第２画像処理部２３０で生成されたMotion-JPEGデータを受信し、不図示のメモリに一時記憶する。ステップＳ１５０で制御部１３０は、第２モニタ１５０に、Motion-JPEGデータをスローモーション動画として１フレーム目から順次表示する。
【００４７】
ステップＳ１６０で制御部１３０は、第２モニタ１５０に設けられた第２タッチパネル１５１が手指等の接触を検知したか否かを判定する。制御部１３０は、タッチ操作が所定時間（スローモーション動画の再生時間内）為されていなかった場合には図４の処理を終了する。他方、制御部１３０は、タッチ操作が為されていた場合にはステップ１７０に進み、第２モニタ１５０に現在表示されているフレーム（例えば１００番目のＹＵＶデータ）に対応するJPEGデータを前述のように画像処理サーバ２００の第２画像処理部２３０に生成させ、第２モニタ１５０に表示するとともに、このJPEGデータをメモリカード１７０に保存する。なお、制御部１３０は、第２モニタ１５０に複数のスローモーション動画が再生されている場合には、タッチ操作が為された位置応じて、画像処理サーバ２００の第２画像処理部２３０にＪＥＰＧを生成させればよい。
【００４８】
上述した第１の実施の形態による画像処理システムによれば、次の作用効果が得られる。
（１）カメラ１００は、撮像信号を出力する撮像素子１２０と、撮像信号を制御部１３０で処理して第１フレームレートでスルー画を表示する第１モニタ１４０と、第２画像処理部２３０により撮像信号を処理して、第１フレームレートとは時間軸を異ならせたスローモーション動画を表示する第２モニタ１５０とを備え、制御部１３０は、スルー画の表示中にスローモーション動画を第２モニタ１５０に表示させることが可能である。このようにしたので、複数の表示画面を用いた使い勝手のよいカメラ１００を提供することができる。
【００４９】
（２）第２画像処理部２３０にてスローモーション動画を生成するので、カメラ１００にスローモーション動画を作成するための能力を備えさせる必要がなく、カメラ１００の小型化、低コスト化および省電力化を図ることができる。
【００５０】
（３）カメラ１００は、第１モニタ１４０に表示された画像をレリーズボタン１５５aや第１タッチパネル１４１の操作により記録できるとおともに、第２モニタ１５０に表示されたスローモーション動画に関連した画像を第２タッチパネル１５１の操作により記録できるので使い勝手のよいカメラ１００を提供することができる。
【００５１】
（４）第１モニタ１４０と第２モニタ１５０とは独立した画面である。このようにしたので、スルー画とスローモーション動画とを個別に視認可能な、使い勝手のよいカメラ１００を提供することができる。
【００５２】
（５）第２画像処理部２３０は、複数の撮像信号に対応するフレーム同士の間に補間フレーム（中間フレーム）を生成する。このようにしたので、撮像素子１２０、第１画像処理部１２５を高速度撮影に対応させる必要がなく、カメラ１００の小型化、低コスト化および省電力化を図ることができる。
【００５３】
次のような変形も本発明の範囲内であり、変形例の一つ、もしくは複数を上述の実施形態と組み合わせることも可能である。
【００５４】
（変形例１）
第２画像処理部２３０が、スローモーション動画を、上述した中間フレームを生成する方法とは異なる方法で作成してもよい。例えば、制御部１３０が撮像素子１２０に高フレームレート（例えば３００ｆｐｓなど）での撮像を行わせ、第２画像処理部２３０がこれより低いフレームレート（例えば３０ｆｐｓ）の動画像データを作成すれば、制御部１３０は実時間の１０倍の撮影時間を有するスローモーション動画を得ることができる。
【００５５】
また、１つのスローモーション動画において、部分的にフレームレートを異ならせてもよい。例えば、第２画像処理部２３０が第２通信部２１０を介して受信した各撮像信号に周知の顔検出処理を実行して被写体の顔を検出し、特定の人物が含まれていた場合には、その人物を再生する時間をその人物が含まれて居ない再生時間よりも長くなるように、スローモーション動画を作成してもよい。
【００５６】
（変形例２）
上述した実施形態では、カメラ１００と画像処理サーバ２００とが一対一対応していたが、例えば１つの画像処理サーバ２００に対して多数のカメラ１００が存在し、第２画像処理部２３０がそれら多数のカメラから同時に送信される撮像信号の各々についてスローモーション動画を作成するようにしてもよい。あるいは、複数の画像処理サーバ２００を用意し、多数のカメラ１００から送信される画像信号が、それら複数の画像処理サーバ２００に適宜振り分けられるようにしてもよい。１つの画像処理サーバ２００に複数の第２画像処理部２３０を設け、多数のカメラ１００から送信される画像信号が、それら複数の第２画像処理部２３０に適宜振り分けられるようにすることもできる。
【００５７】
また、カメラ１００に第２画像処理部２３０を内蔵させてもよい。つまり、制御部１３０が、第１通信部１６０を介して外部の画像処理サーバ２００に撮像信号を送信するのではなく、カメラ１００に内蔵されている第２画像処理部２３０に撮像信号を出力してスローモーション動画を作成させるようにしてもよい。この場合において、１つのカメラ１００に複数の第２画像処理部２３０を搭載することも可能である。
【００５８】
（変形例３）
制御部１３０は、スローモーション動画の再生中に為されたタッチ操作に応じて、タッチ操作が為されたフレームを基準として、その前後所定期間（例えば前後１秒）の各フレームに基づく新たなスローモーション動画を作成するよう画像処理サーバ２００に要求するようにしてもよい。この場合、第２画像処理部２３０はこの要求に応じて、メモリ２２０に記憶されているＹＵＶデータもしくはMotion-JPEGデータに基づいて新たなスローモーション動画を作成し、第２通信部２１０が作成したスローモーション動画をカメラ１００に順次送信する。このとき制御部１３０は、例えば図２に示したように、第２モニタ１５０の表示画面を分割して、既に再生中であったスローモーション動画と、今回新たに作成されたスローモーション動画とを同時並行的に再生してもよい。
【００５９】
なお、画像処理サーバ２００のメモリ２２０に記憶されている各種データは、そのまま保存していてもよく、カメラ１００にデータを送信した後に削除してもよく、所定時間経過後に削除するようにしてもよい。
【００６０】
（変形例４）
図２では、複数のスローモーション動画の同時並行的な再生方法の一例として、第２モニタ１５０の表示画面を等間隔に分割する方法を示したが、例えば制御部１３０が、各スローモーション動画について、第２モニタ１５０の表示画面への表示サイズに差を設けてもよい。具体的には、制御部１３０が、被写体の動きが大きなスローモーション動画については相対的に大きく表示し、被写体の動きが小さなスローモーション動画については相対的に小さく表示するようにしてもよい。また、被写体の動きではなく背景の動きの大きさに応じて表示サイズに差を設けるようにしてもよい。
【００６１】
また、図２においては、第２モニタ１５０を上下に分割する例を示したが、滑り台から降りてくる子供や、滝など画面の上から下に向かって移動したり落下する被写体の場合は、第２モニタ１５０を左右に分割するようにしてもよい。
【００６２】
（変形例５）
カメラ１００に設けるモニタの数は２つでなくてもよい。例えば、カメラ１００が第１モニタ１４０を有し、第２モニタ１５０を有さない構成としてもよい。この場合、図６に示すように、制御部１３０は第１モニタ１４０の表示画面の全域にスルー画６０を表示すると共に、スルー画６０に重畳して、スルー画６０より小さいサイズでスローモーション動画７０を再生する。２つ以上のスローモーション動画を再生する場合も同様である。なお、これとは逆に、スローモーション動画７０を表示画面の全域に表示し、これに重畳してより小さいサイズでスルー画６０を表示させてもよい。また、第２モニタ１５０をカメラ１００から分離した携帯端末や、テレビとしてもよい。
【００６３】
（変形例６）
上述した実施形態では、レンズ交換式のデジタルカメラを例に説明した。本発明はこのような実施の形態に限定されない。例えば、レンズ一体型のデジタルカメラや、タブレット型のコンピュータ等の携帯型電子機器に適用することが可能である。
【００６４】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００６５】
１…画像処理システム、１００…カメラ、１１０…撮影光学系、１２０…撮像素子、１３０…制御部、１４０…第１モニタ、１４１…第１タッチパネル、１５０…第２モニタ、１５１…第２タッチパネル、１６０…第１通信部、２００…画像処理サーバ、２１０…第２通信部、２３０…第２画像処理部、３００…ネットワーク
【図１】
2014160927.tif 000003
【図２】
2014160927.tif 000004
【図３】
2014160927.tif 000005
【図４】
2014160927.tif 000006
【図５】
2014160927.tif 000007